(57)【要約】      （修正有）【課題】節電ができるように、常用電源に連結されたコンセントの内部にモータが設置され、前記モータによりプラグピンが機械的に断絶される自動脱落プラグ装置の提供。【解決手段】始動のボタンを押してタイマーが作動すると設定の時間後にタイマーはモータ５に電気を供給しモータ５を作動させる。モータ５はねじ軸７を回転させて稼動接点体４を移動させ、稼動接点体４の移動接点と、プラグピン３に設置された固定接点の連結を解除する。稼動接点体４の移動はリミットスイッチにより限られ、電源を取り締まろうとする場合は、稼動接点体４が左側に移動しながら、移動接点と固定接点が十分に離隔された地点に設置された遠接リミットスイッチ９を作動させモータ５の電源を切るようにする。【選択図】図１
2007141809.tif 000002
【特許請求の範囲】
【請求項１】
電気負荷に連結されたプラグ(50)を構成することであって、外部に突出されてコンセントに挿入されるプラグピン(3)と、往復移動されながら上記プラグピン(3)に接続及び断絶させる稼動接点体(4)と、上記稼動接点体(4)を往復運動させるモータ(5)と、上記モータ(5)の作動を制御させる制御部(6)と、外部をくるむケースを含めて構成されることを特徴とする自動脱落プラグ。
【請求項２】
稼動接点体(4)には雌ネジが形成されて、モータ(5)は上記雌ネジに締結されたねじ軸(7)を回転させるように構成された、請求項１に記載の自動脱落プラグ。
【請求項３】
ケース(18)内部には稼動接点体(4)が移動する区間に一定距離が離隔されるように近接リミットスイッチ(8)と遠接リミットスイッチ(9)が設置されて、稼動接点体(4)が移動しながら近接リミットスイッチ(8)と遠接リミットスイッチ(9)を作動させてモータ(5)を制御する、請求項１に記載の自動脱落プラグ。
【請求項４】
制御部はモータ(5)の始動を制御するタイマーと、上記タイマーの時間を設定する設定部と、モータ(5)とタイマー及び設定部の電源を供給するバッテリーで構成された、請求項１に記載の自動脱落プラグ。
【請求項５】
外部に突出されてコンセントに挿入されるプラグピン(3)、往復移動されながら上記プラグピン(3)と電気負荷を接続及び断絶させる稼動接点体(4)、上記稼動接点体(4)を往復運動させるモータ(5)、上記モータ(5)の作動を制御する制御部、外部をくるむケース(18)を含めて構成されたプラグ(50)、および上記プラグ(50)と電気的に連結された多数個のコンセント(1)が具備されたマルチコンセントボックス(2)を含んで構成されることを特徴とする自動脱落プラグ装置。
【請求項６】
外部に突出されてコンセントに挿入されるプラグピン(3)、往復移動されながら上記プラグピン(3)と電気負荷を接続及び断絶させる稼動接点体(4)、上記稼動接点体を往復運動させるモータ(5)、外部をくるむケース(18)を含めて構成されたプラグ(50)、上記プラグ(50)と電気的に連結された多数個のコンセント(1)、および上記モータ(5)を制御する制御部(6)が具備されたマルチコンセントボックス(2)を含んで構成されることを特徴とする自動脱落プラグ装置。
【請求項７】
制御部(6)はモータ(5)を作動させるタイマー、上記タイマーの時間を設定する設定部、およびモータ(5)とタイマー及び設定部の電源を供給するバッテリーで構成されて上記モータ(5)の作動を制御する、請求項５または請求項６に記載の自動脱落プラグ装置。
【発明の詳細な説明】
【技術分野】
【０００１】
本発明は自動脱落プラグ及びこれを利用したプラグ装置に関するもので、より詳しくは電気負荷を使わない場合には少ない電流でも認可されなくなるまで常用電源を機械的に遮断するようにモータによって断絶されるプラグと、上記プラグに連結された多数個のコンセントが形成されたマルチコンセントボックスで構成された自動脱落プラグ装置に関するものである。
【背景技術】
【０００２】
コンセントには各種電気負荷のプラグが接続されて常用電源と連結される。プラグはこのように電源に接続する役割をして、限定されたコンセントの個数を増やしために多数個のコンセントが形成されたマルチタップというコンセントボックスが連結された多数個の電気負荷が一つのコンセントに連結されたりする。
【０００３】
それから節電と安全のためにコンセントまたはプラグにタイマーが設置されて、使用者が設定した時間によって電源が半導体的な断絶に使用電源が遮断される構成が開発されていて、マルチタップの場合は安全装置としてヒューズ、過電流遮断装置などが設置されている。
【０００４】
しかし、タイマーが設置された従来の場合は半導体的な弱電の遮断で常用電源を遮断する構造であるため、特に安全な装置であると見ることが難しく、マルチタップに多数の電気負荷が連結されている状態で各種電気負荷の電源が自体的に遮断されていても、常用電源が認可されたコンセントで電気負荷のプラグを通じてすべての電気負荷に一定の電流は認可された状態にあって、とくにマルチタップを通じた場合大きな電気負荷に不必要な電流が認可された状態であるようになる。
【０００５】
従って、各種電気負荷の電源が消えていても一定量の電流が認可された状態にあってその消費電力を無視することはできず、産業全体的な水準と国家的な次元で見た際に、莫大な量の電力消費であると言える。
【発明の開示】
【発明が解決しようとする課題】
【０００６】
本発明の目的は電気的安全は言うまでもなく、節電ができるように電気負荷と連結されたプラグが常用電源が認可されたコンセントから完全に脱落されるようにする機械的遮断装置を提供することにおいて、一実施例として本発明は常用電源が連結されたコンセントの内部にモータが設置されて、上記モータによってプラグピンが機械的に断絶される自動脱落プラグ装置を提供することにある。
【課題を解決するための手段】
【０００７】
以下本発明の構造及び作用を添付図面により、詳しく説明する。
【０００８】
本発明は機械的に常用電源と断絶させる構造を持つ自動脱落プラグ(50)と、多数個のコンセント(1)が具備されたマルチコンセントボックス(2)が上記プラグ(50)と連結されるよう構成されたプラグ装置(100)の実施例を有する。
【０００９】
先ず本発明による自動脱落プラグ(50)は外部に突出されてコンセントに挿入されるプラグピン(3)、往復移動されながら上記プラグピン(3)と電気負荷を接続及び断絶させる稼動接点体(4)、上記稼動接点体(4)を往復運動させるモータ(5)、上記モータ(5)の始作動を制御する制御部(6)、および上記構成を保護する外部ケース(18)を含んで構成されることに特徴がある。
【００１０】
上記稼動接点体(4)には雌ネジが形成されて、モータ(5)は上記雌ネジに締結されたねじ軸(7)を回転させるように構成される。それから上記稼動接点体(4)は一定の距離に離隔されるように設置された近接リミットスイッチ(8)と遠接リミットスイッチ(9)によってモータ(5)のオン/オフ作動を制御するように構成される。それから稼動接点体(4)はガイド(19)に締結されて直線運動でガイドされるように設置されることもできる。
【００１１】
上記の制御部はモータ(5)の始作動を制御するタイマーと、上記タイマーの時間を設定する設定部と、モータ(5)とタイマー及び設定部の電源を供給するバッテリーで構成される。
【００１２】
上記のように本発明の自動脱落プラグ(50)はリモコンで制御されることもあるが、この場合は上記の制御部(6)及びリモコンにRF受信機のような送受信機が別に具備される。
【００１３】
それから、上記のプラグ(50)を利用して多数個の電気負荷を同時に連結し遮斷することができるプラグ装置(100)を構成することもできる。この場合は上記のプラグ(50)と、上記プラグ(50)と電気的に連結された多数個のコンセント(1)が具備されたマルチコンセントボックス(2)で構成される。またはプラグ(50)に設置された制御部がマルチコンセントボックス(2)へ設置されるように実施することもできるが、この場合は外部に突出されてコンセントに挿入されるプラグピン(3)、往復移動されながら上記プラグピン(3)と電気負荷を接続及び断絶させる稼動接点体(4)、上記稼動接点体(4)を往復運動させるモータ(5)、外部をくるむケース(18)を含めて構成されたプラグ(50)、上記のプラグ(50)と電気的に連結された多数個のコンセント(1)、上記モータ(5)を作動させるタイマー、上記タイマーの時間を設定する設定部、およびモータ(5)とタイマー及び設定部の電源を供給するバッテリーで構成されて上記モータ(5)作動を制御する制御部(6)が具備されたマルチコンセントボックス(2)を含んでプラグ装置(100)が構成される。
【００１４】
上記のマルチコンセントボックス(2)を含めたプラグ装置(100)の構成においては、自動脱落プラグ(50)の設定などをリモコン(13)で制御することもできるが、この場合もリモコン(13)及び制御部(6)にRF受信機のような送受信機が別に具備される。
【００１５】
上記のように多様な構造を持つ本発明のプラグ(50)またはプラグ装置(100)は、電気負荷に連結され、使用中必要によって常用電源から電気負荷を機械的に遮断させることを目的とする。従って、プラグ(50)の内部には常用電源のコンセントに挿入されるプラグピン(3)との接続を機械的に断絶する装置が設置される。
【発明の効果】
【００１６】
このように本発明はプラグ(50)によって連結された電気負荷が設定の時間後に常用電源から機械的な接点によって断絶されるため、電気的に非常に安全な状態が維持されて、電気負荷の使用がない場合、電気による火災、漏電などは言うまでもなく、弱電でも電気負荷に認可されなくなり節電が成されるようになる。
【００１７】
なお、プラグ装置(100)の場合は多数個の電気負荷を一つのマルチコンセントボックス(2)に連結して使っても電源が機械的に完全に遮断されるから、電力消費の防止及び過度の電気負荷による電気的事故を防止することができる。
【発明を実施するための最良の形態】
【００１８】
このような装置の構造及びのその作用は、図1ないし図2に図示されていて、以下ではプラグ装置(100)の実施例を中心にその作用を説明する。
【００１９】
使用者はプラグ(50)をコンセントにさして、電気負荷に電源を供給して、一定時間の後に電源を遮断しようとする場合、使用時間後に電源が遮断されることができるように制御部(6)の設定部で使用時間を入力する。
【００２０】
上記の使用時間はタイマーがカウントする時間であり、設定の時間が経った後にモータ(5)に電源を認可することができる。もちろん上記タイマー(10)の作動を指示して設定の時間をカウントするようにする始動ボタンが制御部(6)に備わっていて、上記始動ボタンはリモコン(13)に設置されることも考えられる。
【００２１】
始動のボタンを押してタイマーが作動すると、設定時間の間は電気負荷には常用電源が認可されて仕事を行うことができ、設定の時間後にタイマー(10)はモータ(5)に電気を供給してモータ(5)を作動させる。
【００２２】
モータ(5)はねじ軸(7)を回転させて稼動接点体(4)を移動させ、稼動接点体(4)に設置された移動接点(14)と、プラグピン(3)に設置された固定接点(15)の連結を解除させるようになる。モータ(5)の回転軸がねじ軸(7)になることもできて、モータ(5)の回転軸が減速機(16)を通過しながら回転数を減らした後減速機(16)とねじ軸(7)をカプラ(17)で連結して構成することも出來る。
【００２３】
上記ねじ軸(7)は稼動接点体(4)とねじで締結されていて、ねじ軸(7)の回転は稼動接点体(4)の直線運動を可能にする。
【００２４】
そして稼動接点体(4)の移動はリミットスイッチによって限られるが、上記のように電源を取り締まろうとする場合は、図1に図示されたように稼動接点体(4)が左側に移動しながら、移動接点(14)と固定接点(15)が十分に離隔された地点に設置された遠接リミットスイッチ(9)を作動させ、モータ(5)の電源を切るようにする。
【００２５】
ここでモータ(5)の電源は常用電源を利用することもでき、制御部(6)にバッテリー(12)を設けて、これを利用するようにすることもできる。
【００２６】
また電気負荷に電源を認可することを一定時間の後に通電するようにすることもできるが、これは上記のように設定部を通じてタイマーの作動の時間を設定すればよく、この場合モータ(5)の回転方向は逆にしなければならない。もちろん電源を認可しようとする場合は、タイマーの作動なしに使用者がモータ(5)を直接作動させて常用電源に接続させればよいが、上記すべての場合に図2に図示されたようにモータ(5)の回転でねじ軸(7)が回転され、ねじ軸(7)とねじで締結された稼動接点体(4)が右側に移動されて、稼動接点体(4)に設置された移動接点(14)がプラグピン(3)に連結され固定された固定接点(15)と接続することができる。従って常用電源は電気負荷に認可される。
【００２７】
上記のように常用電源を電気負荷から断絶するためにリモコン(13)を使ってもっと便利に構成することもできるが、この場合リモコン(13)及び制御部(6)にRF受信機のような送受信機が設置されていて、これを通じて信号を送受信することができる。
【図面の簡単な説明】
【００２８】
【図１】本発明であるプラグの作動を示した断面図である。
【図２】本発明であるプラグの作動を示した断面図である。
【図３】本発明であるプラグ装置の構成を示した斜視図である。
【符号の説明】
【００２９】
1:コンセント
2:マルチコンセントボックス
3:プラグピン
4:稼動接点体
5:モータ
6:制御部
7:ねじ軸
8:近接リミットスイッチ
9:遠接リミットスイッチ
10:タイマー
11:設定部
12:バッテリー
13:リモコン
14:移動接点
15:固定接点
16:減速機
17:カプラ
18:ケース
19:ガイド
50:プラグ
100:プラグ装置
【図１】
2007141809.tif 000003
【図２】
2007141809.tif 000004
【図３】
2007141809.tif 000005